(57)【特許請求の範囲】
【請求項１】
回転子の外径側から磁極鉄心片，希土類永久磁石，回転子鉄心，回転子フランジ及びロータボスを配置し、ロータボス外周と回転子フランジ内径は間隙をもって配置された駆動用モータの回転子において、前記ロータボスの外周の板厚を前記回転子フランジの板厚よりも厚くし、前記回転子フランジの内径は軸方向に円筒形に形成され内径側円筒部を有し、この内径側円筒部の軸方向に延びる内周面によって、前記ロータボスの外周面からの半径方向の荷重を受け、前記内径側円筒部の先端部には凹部と凸部を形成し、前記ロータボスの外周に形成された凹部、凸部と間隙をもって各々の凸部と凹部を組合せ、樹脂モールドしたことを特徴とする駆動用モータの回転子。
【請求項２】
請求項１記載の駆動用モータの回転子において、ロータボスは鍛造成形により凹凸部を軸方向に厚く成形したことを特徴とする駆動用モータの回転子。
【請求項３】
請求項１又は請求項２記載の駆動用モータの回転子において、ロータボスの端面と同一平面上にファンブレードを樹脂モールドしたことを特徴とする駆動用モータの回転子。
【発明の詳細な説明】
【技術分野】
【０００１】
本発明は、洗濯機の外槽に回転ドラムを直接駆動する希土類永久磁石を有する駆動用モータの回転子において、主軸を固定するロータボスが回転子フランジと機械的に強固で、且つ固定子と電気的に絶縁した駆動用モータの回転子に関するものである。
【背景技術】
【０００２】
駆動用モータに希土類永久磁石を使用し、回転子フランジに相当する電磁鋼板とロータボスに相当する回転軸支持板が樹脂モールドにより機械的に結合し、固定子と電気的に絶縁したものは特開２００６−３５２９７３号公報（特許文献１）に記載されている。
【０００３】
【特許文献１】特開２００６−３５２９７３号公報
【発明の開示】
【発明が解決しようとする課題】
【０００４】
洗濯機の回転ドラムを駆動する駆動用モータは回転ドラムを直接駆動するので、大きな駆動トルクが必要である。このため、駆動用モータの体積を大きくしないで駆動トルクを出す手段としては磁気エネルギー密度が高い希土類永久磁石を使用する。希土類永久磁石はフェライト系磁石に比較して、電気抵抗が小さいので固定子と電気的に絶縁を行う必要がある。このため、回転子は回転子フランジとロータボス間で樹脂モールドにより機械強度の確保と電気絶縁の両方を行う必要がある。また、回転子の外形及び重量が重くなるので運転時の起動停止や輸送時の衝撃による機械強度を上げる必要があった。
【０００５】
本発明は上記した問題点に鑑み、樹脂モールドにより回転子フランジとロータボスとの機械強度の確保と電気絶縁の両方を行った駆動用モータの回転子を提供することを目的とする。
【課題を解決するための手段】
【０００６】
本発明は、固定子と回転子の間の電気絶縁はこの間の空隙と、回転子フランジとロータボス間に間隙を設けて樹脂モールドすることにより行われる。また、回転子フランジとロータボスの機械強度を上げるため、回転子フランジのロータボス側を軸方向に円筒部を形成し、その外周に凹部と凸部を設けて、ロータボスの外周に設けられた凸部と凹部に組合せることにより回転子フランジとロータボス間の合成樹脂との接触面積を増加させると共に合成樹脂に加わる荷重が圧縮荷重となるようにして、衝撃荷重は金属で構成されている回転子フランジとロータボスで受けるようにして、直接合成樹脂部に衝撃に弱い曲げや引っ張り荷重にならないようにした駆動用モータの回転子を有することを特徴とする。
【発明の効果】
【０００７】
本発明によれば、回転子フランジに設けられた円筒部とロータボスとの間を間隙を設けて、各々の凹部と凸部を組合せてその間を合成樹脂で樹脂モールドしているので、接触面積が増加し、合成樹脂に加わる荷重が圧縮荷重となるので、主軸と電気絶縁すると共に運転時及び輸送時の衝撃に対する機械強度を上げることができる。
【発明を実施するための最良の形態】
【０００８】
以下、本発明の実施形態に係わる実施例について、図を引用して説明する。
【０００９】
図１は本発明の実施例に係るもので、ドラム式洗濯乾燥機の縦断面図を示す。
【００１０】
外枠筐体は、外枠１と、前記外枠１を載置するように支持するベース部２を有する。
【００１１】
また、ベース部２がなく、外枠１だけで外枠筐体を構成するものもある。
【００１２】
外枠１は、正面の中央に設けられた開閉自在なる蓋体３を有する。
【００１３】
外枠１の内部には樹脂で成形された外槽４が配置され、前記外槽４の中には、回転自在の回転ドラム５が配置されている。回転ドラム５は主軸６を介して、駆動用モータ７と直結されている。駆動用モータ７は金属製フランジ８に固定され、金属製フランジ８は外槽４に固定されている。組み付け時は金属製フランジ８に主軸６及び駆動用モータ７が組込まれた駆動部組を外槽４に組み付けてから回転ドラム５を組み付けている。本実施例の場合、回転ドラム駆動用モータ７は磁石埋め込み形のインナーロータで固定子は集中巻の巻線を有するＤＣブラシレスモータを使用している。回転ドラム５の内側には脱水時に高速回転で洗濯物９に含まれている水分を脱水するための脱水穴１０が全周に複数個設けられている。
【００１４】
回転ドラム５には脱水時の洗濯物９によるアンバランス振動を低減するための流体バランサー１１が設けられている。
【００１５】
蓋体３と外槽４の間で洗浄水を密封するために、ゴム製の弾性体で構成されるベローズ１２が設けられている。
【００１６】
外槽４は洗濯物９によるアンバランス振動を低減するため底部に２個のサスペンション１３により支持されている。サスペンション１３は外槽４及びそれに付属する全重量を支持するものであり、強固な構成にできている。また、脱水運転時に生じる外槽４の共振による異常振動を防止するための減衰機構などが設けられている。
【００１７】
また、外槽４の上部は、前後に配置された二個の引きバネ１４，１５により支持している。これらの引きバネ１４，１５は外槽２２の前後方向の倒れ防止を兼ねた支持や脱水時の前後，上下及び左右方向の振動を低減するために設けられている。
【００１８】
ベース部２には、洗濯水を排水するための排水ホース１６が取付けられている。また、ベース部２の四隅には取付け脚１７が設けられている。この取付け脚１７はゴムで形成され、ドラム式洗濯乾燥機の運転時の振動を減衰させている。
【００１９】
なお、上記の外枠筐体は外枠１とベース部２を有するが、ベース部２を設けず、外枠１に取付け脚１７を設けるようにすることも可能である。この場合は、外枠１が外枠筐体になる。
【００２０】
洗濯やすすぎ時には、水道の蛇口に接続された給水ホース１８、給水電磁弁１９に接続された注水ホース２０，洗剤トレー２１を経由して、洗濯やすすぎに必要な水が供給される。
【００２１】
供給された水は外槽４の底部に洗濯水として、またすすぎ時にはすすぎ水として溜められている。洗剤トレー２１には洗濯時に必要な洗剤を投入し、すすぎ時には仕上がりをよくするために柔軟仕上げ剤を投入する。
【００２２】
洗濯時には、注水ホース２０から供給された水が洗剤トレー２１の洗剤を溶かしながら外槽４の上部からフレキシブルホース２２を介して投入される。
【００２３】
外槽４の内側にある回転軸心線を横にした回転ドラム５には蓋体３を開けて投入されて洗濯物９が内置される。回転ドラム５の内側には、洗濯時に洗濯物９を掻き揚げられるようにするために複数個のリフター２３が設けられている。
【００２４】
洗濯やすすぎが終了して不要になった水や脱水時に洗濯物９から脱水された水は排水弁２４を開放して排水ホース１６から排水される。
【００２５】
乾燥時は送風ファン２５により送風された送風は洗濯物９が入った回転ドラム５の中、及び外周を通ってくるためリントが含まれるので、必ず乾燥フィルタ２６を通す必要がある。
【００２６】
このため、乾燥フィルタ２６を経由してヒータ２７に送風し、加熱された温風は外槽上部に設けられた噴出口部２８より回転ドラム５の中に送風される。
【００２７】
温風は洗濯物９を通って、回転ドラム５の後部から外槽４の底部に設けられた除湿装置２９の通風口３０を通って除湿され送風ファン２５により循環を繰り返して洗濯物９を乾燥させる。
【００２８】
図２は本発明の実施例に係るもので、外槽４に駆動部組が取付けられている部分縦断面図を示す。駆動部組３１は外槽４の奥側に取付けられている。駆動部組３１を構成する金属製フランジ８の回転ドラム側ボス部３２は内側にウォータシール３３が圧入され、外側はゴムを被せている。この部分に外槽ボス部３４が圧入され外槽４と駆動部組３１とのシールが行われ洗浄水が外に漏れないように構成される。回転ドラム側ボス部３２の反対側には駆動用モータ側ボス部３７が設けられており、主軸６を回転支持する軸受３８，３９が収納されている。主軸６には回転子３６が挿入されナット４０により固定されている。回転子３６の外周には固定子４１が取付けネジ４２により金属製フランジ８に固定されている。固定子４１の上面にはモータカバー４３が固定子４１に取付けられている。また、主軸６には回転ドラム５を取付けるためのフランジ４４が嵌合固定されている。固定子４１の内径と回転子３６の外径との空隙は、本実施例では０.６〜１mm程度なので、結露水等で容易に固定子４１と回転子３６の空隙は電気的に接続される。
【００２９】
図３は本発明の実施例に係るもので、回転子３６の縦断面図を示す。回転子３６は鍛造成形したロータボス４５と回転子フランジ４６を、間隙を設けて配置し、回転子フランジ４６の外周には回転子鉄心４７を嵌合し、その上に各々独立して希土類永久磁石４８と磁極鉄心片４９を配置して合成樹脂５０で一体成形により構成している。また、駆動用モータ７を冷却するためのファンブレード５１を合せて成形している。
【００３０】
図４は本発明の実施例に係るもので、ロータボス４５の正面図を示す。外周側は、凹部５２と凸部５３により構成されており、この部分に回転子フランジ４６が配置され合成樹脂５０により樹脂モールドされ機械的に結合されると共に電気的に絶縁される。凹部５２と凸部５３の外周の長さを比較すると、凹部５２のほうが長くなっている。内側中央部はセレーション（歯車）となっており主軸６と結合して回転止めを形成している。ロータボス４５は鍛造で成形されているので、素材に対する材料の使用効率がプレスによる打ち抜き作業よりよくする事ができる。
【００３１】
図５は本発明の実施例に係るもので、回転子フランジ４６の正面図を示す。回転子フランジ４６の内側は軸方向に円筒部５４を形成している。円筒部５４の先端部には、凹部５５と凸部５６が各々複数個設けられている。凹部５５の幅と凸部５６の幅は等間隔となっている。
【００３２】
図６は本発明の実施例に係るもので、回転子フランジ４６の縦断面図を示す。内径側は円筒部５４が軸方向に形成されている。円筒部５４の外周部には凹部５５と凸部５６が交互に均等の幅で形成されている。
【００３３】
回転子３６は内周側からロータボス４５、回転子フランジ４６，回転子鉄心４７，希土類永久磁石４８及び磁極鉄心片４９の順番で成形型にセットされ樹脂モールドされる。電気絶縁はロータボス４５と回転子フランジ４６の円筒部５４の間に空間を持たせて、樹脂モールドにより合成樹脂５０を充填することにより、合成樹脂５０で電気絶縁している。
【００３４】
円筒部５４の外周に設けられた凹部５５にロータボス４５の凸部５３，円筒部５４の外周に設けられた凸部５６にロータボス４５の凹部５２が空間をもって嵌合されている。
【００３５】
回転子フランジ４６は板厚が１.６〜３.２mmの鋼板をプレスで製作し、外周側にも外周側円筒部５７が形成されており、内径側にも円筒部５４が形成されているので剛性を大きくすることができる。主軸６に取付けられた回転子３６には洗濯物９のアンバランス時に半径方向に大きな荷重が印加される。これによる荷重は駆動用モータ７による回転方向の荷重より大きい。このため、機械強度はこの荷重で考えると円筒部５４の内径側とロータボス４５の外周側との間の合成樹脂部５８の部分に圧縮荷重として印加される。本発明ではこの部分の合成樹脂部５８の応力を低減するため、ロータボス４５の外周の板厚を増加して円筒部５４との接触面積を増加することにより合成樹脂部５８の応力の低減を図り、機械強度を増加した。合成樹脂５０は衝撃が加わると曲げ及び引張りの機械強度が極端に低下する。このため、衝撃に対して影響が少ない圧縮にすることにより、運転時の急停止や輸送時の衝撃に対する機械強度を向上させた。なお、圧縮荷重による機械強度を維持するにはそれを挟持している部材の剛性が大きいことが必要である。
【００３６】
上記したように、機械強度の増加を測るにはロータボスの板厚を厚くすることが必要である。板厚を厚くしてプレス加工したのでは素材が有効に利用できないので、鍛造により素材の利用率をあげている。
【００３７】
また、ロータボス４５の上面部と同一の高さで、駆動用モータ７を冷却するファンブレード５１を成形しているのでファンブレード５１の高さが同一となり、この上面に被せるモータカバー４３の形状が単純となり型製作費用の低減ができる。なお、モータカバー４３の内側に設けられた通風穴５９よりロータボス４５の外形を小さくしてファンブレード５１の内側から外気を吸込むように構成しているので固定子４１の冷却をよくすることができる。
【図面の簡単な説明】
【００３８】
【図１】本発明の実施例に係るもので、ドラム式洗濯乾燥機の縦断面図である。
【図２】本発明の実施例に係るもので、外槽４に駆動部組が取付けられている部分縦断面図を示す。
【図３】本発明の実施例に係るもので、回転子３６の縦断面図を示す。
【図４】本発明の実施例に係るもので、ロータボス４５の正面図を示す。
【図５】本発明の実施例に係るもので、回転子フランジ４６の正面図を示す。
【図６】本発明の実施例に係るもので、回転子フランジ４６の縦断面図を示す。
【符号の説明】
【００３９】
１  外枠
２  ベース部
３  蓋体
４  外槽
５  回転ドラム
６  主軸
７  駆動用モータ
８  金属製フランジ
９  洗濯物
１０  脱水穴
１１  流体バランサー
１２  ベローズ
１３  サスペンション
１４，１５  引きバネ
１６  排水ホース
１７  取付け脚
１８  給水ホース
１９  給水電磁弁
２０  注水ホース
２１  洗剤トレー
２２  フレキシブルホース
２３  リフター
２４  排水弁
２５  送風ファン
２６  乾燥フィルタ
２７  ヒータ
２８  噴出口
２９  除湿装置
３０  通風路
３１  駆動部組
３２  回転ドラム側ボス部
３３  ウォータシール
３４  外槽ボス部
３５，４２  取付けネジ
３６  回転子
３７  駆動用モータ側ボス部
３８，３９  軸受
４０  ナット
４１  固定子
４３  モータカバー
４４  フランジ
４５  ロータボス
４６  回転子フランジ
４７  回転子鉄心
４８  希土類永久磁石
４９  磁極鉄心片
５０  合成樹脂
５１  ファンブレード
５２，５５  凹部
５３，５６  凸部
５４  円筒部
５７，５８  外側円筒部
５９  通風穴
【図１】
0005097492.tif 000002
【図２】
0005097492.tif 000003
【図３】
0005097492.tif 000004
【図４】
0005097492.tif 000005
【図５】
0005097492.tif 000006
【図６】
0005097492.tif 000007